(57)【要約】【課題】  防水透湿性と洗浄容易性とを同時に備えた防水衣服を提供すること。【解決手段】  防水衣服１０は、表生地１１と裏生地１２からなる。表生地１１には撥水加工が施されたウレタン樹脂を用い、裏生地１２には防水透湿素材を用いる。表生地１１と裏生地１２との間の空間は、防水衣服１０の最下部で防水衣服１０の外側に対して開放されており、表生地１１には、表生地１１と裏生地１２との間の空間と防水衣服の外部とを連通する通気口１３が設けられている。【効果】  表生地１１が撥水加工を施されたウレタン樹脂であるため、洗浄時に容易に汚れが落ちるとともに、裏生地１２によって防水透湿機能が実現される。裏生地１２の透湿機能によって裏生地１２から発散された水蒸気は、表生地１１と裏生地１２との間の空間から通気口１３を通じて外部に放出されるため、裏生地１２の透湿機能も有効となる。【選択図】  図１
2008075202.tif 000002
【特許請求の範囲】
【請求項１】
撥水加工が施されたウレタン樹脂からなる表生地と、防水透湿素材を用いた裏生地とを有する防水衣服であって、
前記表生地と前記裏生地との間の空間は、前記防水衣服の最下部で前記防水衣服の外側に対して開放されており、
前記表生地には、前記表生地と前記裏生地との間の空間と前記防水衣服の外部とを連通する通気口が設けられていることを特徴とする防水衣服。
【請求項２】
前記通気口は、前記表生地の上側生地と下側生地とが重なって形成される開口であることを特徴とする請求項１に記載の防水衣服。
【請求項３】
撥水加工が施されたウレタン樹脂からなる表生地を用いた防水衣服であって、
前記表生地には、前記表生地の内側と前記防水衣服の外部とを連通する通気口が設けられており、
前記表生地には前記通気口を覆うように防水透湿素材を用いた生地が設けられていることを特徴とする防水衣服。
【請求項４】
前記防水透湿素材を用いた生地は、前記表生地の内側に設けられていることを特徴とする請求項３に記載の防水衣服。
【請求項５】
前記撥水加工はシリコンコーティング又はフッ素加工によって施されていることを特徴とする請求項１乃至４に記載の防水衣服。
【発明の詳細な説明】
【技術分野】
【０００１】
本発明は、防水衣服に関し、特に防水機能の他に透湿機能が要求される防水衣服に関する。
【背景技術】
【０００２】
漁業従事者（水産加工業者及び漁師等）の作業着、雨合羽等として防水機能を有する衣服が知られている。これらの防水衣服は、ＰＶＣ（塩化ビニル）樹脂を素材としている。塩化ビニル樹脂の素材を用いた防水衣服は、安価で強度も強く、加工も簡単である。加工の際には、高周波溶着によって生地と生地の接合を溶かして接合しているので、加工後は衣服全体が縫い目のない一繋がりとなる。そして、塩化ビニル樹脂は水を通さないので、このようにしてできた縫い目のない防水衣服は、完全な防水性能を実現する。
【０００３】
しかし、塩化ビニル樹脂を素材とする防水衣服は、強度が要求される場合には、衣服が重く、硬くなってしまう。また、塩化ビニル樹脂を用いると、塩化ビニル樹脂には通気性がないことから衣服内が蒸れ、汚れも落ちにくく、焼却するとダイオキシンが発生するという問題がある。
【０００４】
一方、防水透湿素材を使った雨合羽が開発されている。防水透湿素材は、水の分子は通さないが、汗による蒸れの水蒸気は通す非常に小さな穴が開いており、防水機能と透湿機能を同時に備えている。
【０００５】
しかし、防水透湿素材は、非常に小さな穴が開いているので汚れや海水の塩分などで目詰まりを起こしやすいという問題がある。また、防水透湿素材は、強度がなく、漁業従業者の作業着等の業務用途には適さない。
【０００６】
本願発明に関連する技術として、例えば特許文献１に記載の技術が知られている。
【特許文献１】特開２００１−０５５６６９号公報
【発明の開示】
【発明が解決しようとする課題】
【０００７】
本発明は、上記課題を解決するためになされたものであり、その目的は、防水透湿性と洗浄容易性とを同時に備えた防水衣服を提供することにある。
【課題を解決するための手段】
【０００８】
本発明の防水衣服は、撥水加工が施されたウレタン樹脂からなる表生地と、防水透湿素材を用いた裏生地とを有する防水衣服であって、表生地と裏生地との間の空間は、防水衣服の最下部で防水衣服の外側に対して開放されており、表生地には、表生地と裏生地との間の空間と防水衣服の外部とを連通する通気口が設けられている。また、通気口は、表生地の上側生地と下側生地とが重なって形成される開口であることが好ましい。
【０００９】
本発明の防水衣服は、撥水加工が施されたウレタン樹脂からなる表生地を用いた防水衣服であって、前記表生地には、前記表生地の内側と前記防水衣服の外部とを連通する通気口が設けられており、前記表生地には前記通気口を覆うように防水透湿素材を用いた生地が設けられている。なお、前記防水透湿素材を用いた生地は、前記表生地の内側に設けられていることが望ましい。
【００１０】
また、上記の表生地の撥水加工は、シリコンコーティング又はフッ素加工によって施されていることが好ましい。
【発明の効果】
【００１１】
本発明の防水衣服によれば、防水透湿効果を実現すると同時に衣服表面に付着した汚れを容易に除去できる。
【発明を実施するための最良の形態】
【００１２】
以下、図面を参照して、本発明の防水衣服の好的な実施の形態について説明する。
【００１３】
本明細書において、「衣服」とは、上着、ズボン、フード、帽子等の他、上着とズボンが一体となったツナギ、頭部から足部までが一体となったボディスーツをも含むものである。
【００１４】
（第１の実施の形態）
図１は、本発明の第１の実施の形態に係る防水ジャンパー１０を示す図である。
防水ジャンパー１０は、表生地１１及び裏生地１２でを有する。これらの２枚の生地は、一部分即ち襟部及び袖口で互いに縫い合わされているが、最下部である裾では結合しておらず、表生地１１と裏生地１２との間の空間は最下部で防水ジャンパー１０の外側に対して開放されている。なお、表生地１１に侵入した水が裏生地１２にはじかれて裏生地１２の表面を伝って流れてきた水が裾から外部に排出される程度に生地１１と裏生地１２との間の空間は最下部で防水ジャンパー１０の外側に対して開放されているのであれば、裾の一部において表生地１１と裏生地１２とが結合していてもよい。
【００１５】
表の生地は、シリコンコーティングによる撥水加工（以下単に「シリコン撥水加工」という。）が施されたウレタン樹脂でできた生地である。ウレタン樹脂は、焼却時にダイオキシンの発生のない素材である。シリコン撥水加工されたウレタン樹脂でできた生地は強度の面では、塩化ビニル樹脂と大差はないが、ウレタン樹脂は塩化ビニル樹脂よりも比重が軽く、生地質もソフトであり、耐熱耐寒性にも優れている。また、撥水加工されているため、汚れが容易に落ちる。
【００１６】
シリコン撥水加工されたウレタン樹脂でできた生地は業務用エプロンとして開発され、その汚れ落ちに、高い評価を受けている。エプロンの構成は比較的簡単であり、製作する際には複数の生地を互いにつなぎ合わせる必要はない。一方、この生地を衣服に用いる場合には、衣服の構造は比較的複雑であることから複数の生地を互いにつなぎ合わせる必要がある。しかしながら、シリコン撥水加工されたウレタン樹脂でできた生地は、塩化ビニル樹脂のように高周波溶着や接着剤による生地同士のつなぎ合わせができない。従って、ウレタン樹脂でできた生地で衣服を製作する場合には、糸を用いた縫製によって複数の生地を縫い合わせなければならない。ところが、縫製をするということは、生地に穴を開けることになり、この穴から水が浸入してしまう。ナイロン生地やウレタン生地の場合には、このような縫合せ箇所からの水の浸入を防ぐためにシームテープ加工を施すが、シリコン撥水加工されたウレタン樹脂でできた生地の場合は、そのシリコン撥水加工の作用によりこのシームテープも接着することができない。
【００１７】
そこで、防水ジャンパー１０では、裏生地１２を設けて防水機能を確保する。裏生地１２には、防水透湿素材を採用する。裏生地１２は複数の生地が糸によって縫い合わされており、その縫合せ部分はシームテープ加工され、複数の生地の接合部分から水が浸入することを防いでいる。また、裏生地１２では、袖口部にゴムを用いた絞りが形成されており、この構成により袖口部が体に密着して、裏生地１２内への水の浸入を防いでいる。
【００１８】
表生地１１の背部分の中断部には、通気口（ベンチレーション）１３が設けられている。表生地１１の上側生地１１１と下側生地１１２は、互いに縫い合わされていない状態で、上側生地１１１が下側生地１１２に覆いかぶさるようにして重ねられ、マチが形成されている。そして、このマチの部分の開口が通気口１３となる。通気口１３は、表生地１１と裏生地１２との間にできる空間と防水ジャンパー１０の外部とを連通する。なお、通気口１３のマチ部分に数個のマジックテープ（登録商標）を設け、通気の機能を確保しつつ上側生地１１１が下側生地１１２から過剰に浮き上がることを防止してもよい。
【００１９】
防水ジャンパー１０では、表生地１１には防水機能がないので、表生地１１の通気口１３や裾や袖口等から水が入ることがある。さらには、表生地１１が破れて水が浸入することも考えられる。しかしながら、内側の裏生地１２で防水しているので裏生地１２の内部に水が浸入することはなく、表生地１１の内部に侵入した水は、最下部から排出される。
【００２０】
また、表生地１１として使用しているシリコン撥水加工されたウレタン樹脂は、透湿効果をほとんど有さないが、通気口１３を設けることで、裏生地１２として使用している防水透湿素材の透湿効果が活かされる。即ち、裏生地１２を通して裏生地１２と表生地１１との間の空間に発散された水蒸気は、通気口１３を通して防水ジャンパー１０の外部に放出される。
【００２１】
（第２の実施の形態）
図２は、本発明の第２の実施例に係る防水胸付ズボン２０を示す図である。
防水胸付ズボン２０の腹側ウエスト部には、胸当部が延長しており、背側ウエスト部には、腰当が延長している。胸当部の最上部と腰当部の最上部には、それぞれ二つのサスペンダ連結部が設けられており、サスペンダがこの連結部に連結されることで吊ズボンとなる。
【００２２】
防水胸付ズボン２０でも、シリコン撥水加工されたウレタン生地でできた表生地２１と防水透湿素材でできた裏生地２２とが上部分である胸当部分で接着されている。表生地２１は、前身頃と後身頃とが糸で縫い合わされている。一方、裏生地２２では、前身頃と後身頃とを縫い合わせた上で、縫合せ部分にはシームテープ加工が施されており、当該縫合せ部分からの水の浸入を防いでいる。
【００２３】
また、最下部である裾部分では、表生地２１と裏生地２２とは一部で意図によって縫い合わされているのみであり、表生地２１と裏生地２２との間の空間は、この裾部分で防水胸付ズボン２０の外部に対して開放されている。使用者がこの防水胸付ズボン２０を着用した際には、表生地２１の内部の水は裏生地２２に浸入できずに、裏生地２２の表面を伝って重力により下方に流れ、この裾部分から外部に排出される。なお、表生地２１と裏生地２２とを裾部分の一部で縫い合わせていることで、着用者が防水胸付ズボン２０を脱ぐ際に裏生地のめくれ上がることを防止している。
【００２４】
表生地２１の後身頃のウェスト部やや下方には、通気口２３が設けられている。通気口２３では、上側生地２１１と下側生地２１２とが糸による縫合せや接着若しくは圧着等によって接合されない状態で重なるマチが形成されいてる。
【００２５】
防水胸付ズボン２０によっても、第１の実施の形態の防水ジャンパー１０と同様の効果を得ることができる。即ち、防水透湿効果を実現すると同時に汚れを容易に除去できる。また、通気口２３を設けることにより、裏生地２２の透湿効果を効果的に発揮させることができる。
【００２６】
（第３の実施の形態）
上記の第１及び第２の実施の形態では、シリコン撥水加工されたウレタン樹脂でできた表生地と防水透湿素材を用いた裏生地との二枚仕立てとした。第３の実施の形態では、表生地に高周波溶着又はシームテープ加工ができる生地を採用し、通気口の部分だけを覆うように防水透湿素材の生地をあてがう。防水透湿性素材の生地は、高周波溶着によって表生地を溶着し、又は表生地に縫いつけた後に縫い目にシームテープ加工を施す。これにより、二枚構造としなくても、表生地の内側で発生する水蒸気は通気口を介して衣服外部に放出されるとともに、通気口からの水分の流れ込みを防止でき、完全な防水機能が達成される。また、防水透湿素材の生地の使用量が減り、コストの削減を図ることができる。
【００２７】
通気口にあてがう防水透湿素材の生地は、表生地の内側から通気口を覆うようにあてがってもよいし、表生地の外側から通気口を覆うようにあてがってもよい。但し、表生地の内側からあてがったほうが、外部からは防水透湿素材が見えないのでデザイン的に好ましく、また、汚れや海水の塩分で目詰まりを起こさない点でも好ましい。
【００２８】
なお、上記の第１乃至第３の実施の形態では、通気口を一箇所にのみ設ける例を説明したが、使用用途に応じて通気口を複数の箇所に設けることもできる。通気口は多ければ多いほど表生地と裏生地との間の空間に存在する水分による水蒸気を外部に放出できる。これによって、裏生地の透湿効果がより活かされることになり、また、着用者にムレのない心地よさを与えることができる。
【００２９】
また、上記の実施の形態では、シリコンコーティングによって撥水加工を施したが、フッ素加工によって撥水加工を施してもよいし、フッ素加工を施した上にシリコンコーティングを施すことで撥水効果を持たせてもよい。
【産業上の利用可能性】
【００３０】
本発明の防水衣服は、水産業者の作業着や雨合羽等として好的に用いられる。
【図面の簡単な説明】
【００３１】
【図１】図１は、本発明の第１の実施の形態に係る防水ジャンパーを示す図である。
【図２】図２は、本発明の第２の実施の形態に係る防水胸付ズボンを示す図である。
【符号の説明】
【００３２】
１０  防水ジャンパー
１１  表生地
１２  裏生地
１３  通気口
２０  防水胸付ズボン
２１  表生地
２２  裏生地
２３  通気口
【図１】
2008075202.tif 000003
【図２】
2008075202.tif 000004